(57)【特許請求の範囲】
【請求項１】
結束機（Ａ）で結束した結束排藁（ａ）を、搬出チェン（１）とこれに弾圧して対設するガイド棒（２）とで受継ぎ挟持して後方に搬出し圃場面に立ち姿で放出する立体放出装置において、前後方向に三角形状のチェンケースに懸架された搬送チェン（１）を、搬送作用面側を高く非作用面側を低くして傾斜状に設け、前記搬出チェン（１）の搬送作用面側に結束排藁（ａ）を挟持するガイド棒（２）を設け、前記ガイド棒（２）始端側を前記搬出チェン（１）の始端側にそわせて下方に向けた後、上方向きに湾曲形成し、前記ガイド棒（２）の始端部と前記放出アーム（３）の先端が描く作動軌跡（ロ）が側面視で重合する構成とし、また前記搬出チェン（１）の搬送作用面の始端側を放出アーム（３）の作動方向（イ）と側面視および平面視で同方向の直線部（１ａ）で構成したことを特徴とする結束排藁の立体放出装置。
【発明の詳細な説明】
【０００１】
【産業上の利用分野】
本発明は、結束機で結束した結束排藁を、搬出チェンとこれに弾圧して対設するガイド棒とで受継ぎ挟持して後方に搬出し圃場面に立ち姿で放出するところの立体放出装置に関するものである。
【０００２】
【従来の技術】
従来、上記のような立体放出装置は例示するまでもなく一般に公開されている実開昭５７−００９２６１、実開昭６２−１６０８２８、実開平０３−０６４９０８等がある。
しかし、この従来のものは、結束機の放出ア−ムの作動によって後方に放出される結束排藁を搬出チェンとこれに対設するガイド棒とによって挟持し受継ぐのであるが、その受継ぎは点で挟持するので挟持が不確実になって結束排藁の所定箇所を挟持できず圃場面に立ち姿にする点で問題点が残されている。
【０００３】
【発明が解決しようとする課題】
本発明は、上記従来の問題点を解消して、放出ア−ムにより放出される結束排藁の所定箇所を確実に挟持して後送させるものにし圃場面における立体率を向上させることを目的として発明に至ったものである。
【０００４】
【課題を解決するための手段】
この発明は前項記載の目的遂行のために、結束機（Ａ）で結束した結束排藁（ａ）を、搬出チェン（１）とこれに弾圧して対設するガイド棒（２）とで受継ぎ挟持して後方に搬出し圃場面に立ち姿で放出する立体放出装置において、前後方向に三角形状のチェンケースに懸架された搬送チェン（１）を、搬送作用面側を高く非作用面側を低くして傾斜状に設け、前記搬出チェン（１）の搬送作用面側に結束排藁（ａ）を挟持するガイド棒（２）を設け、前記ガイド棒（２）始端側を前記搬出チェン（１）の始端側にそわせて下方に向けた後、上方向きに湾曲形成し、前記ガイド棒（２）の始端部と前記放出アーム（３）の先端が描く作動軌跡（ロ）が側面視で重合する構成とし、また前記搬出チェン（１）の搬送作用面の始端側を放出アーム（３）の作動方向（イ）と側面視および平面視で同方向の直線部（１ａ）で構成したことを特徴とする結束排藁の立体放出装置。
【０００５】
【作用】
このように構成したので、結束機で所定の大きさに順次結束される結束排藁は搬出チェンとこれに対設するガイド棒とで受継ぎ挟持して横倒れの状態から直立の状態へと姿勢変更させられ圃場面に立ち姿で放出されていくのであるが、その時、搬送作用面側を高く非作用面側を低くして傾斜状に懸回されて回行する搬出チェンの搬送作用面の始端側に結束排藁を放出アームの作動軌跡によって結束排藁の姿勢を乱すことなく強制的に直線部上へ移動させしかもガイド棒の先端部まで導く。つまり、結束排藁が放出される姿勢に対して同方向の直線部に放出される結束排藁はこの直線部に沿うように放出されるようになり結束排藁の挟持位置がずれることがなく所定箇所を確実に挟持して後送し圃場面に立ち姿にするのである。
【０００６】
【実施例】
以下、この発明による立体放出装置について図面を参照し説明すると、（Ａ）は脱穀機の排藁搬出側に連設されて脱穀後の排藁を所定の大きさに結束する結束機であって、この結束機（Ａ）で結束された結束排藁（ａ）の放出側に結束排藁（ａ）を受継いで後方に搬出する立体放出装置が連結されているのである。
【０００７】
この立体放出装置は前後方向に略三角形状のチェンケースに懸回された搬出チェン（１）とその搬出チェン（１）の搬送作用面側に対設されるガイド棒（２）からなり、その搬出チェン（１）は搬送作用面側を高く非作用面側を低くして傾斜状に懸回され、搬送作用面の始端側は結束機（Ａ）の放出ア−ム（３）の先端が描く作動軌跡（ロ）によって示されるところの作動方向（イ）と側面視および平面視共に同方向の直線部（１ａ）にしている。
【０００８】
（４）は搬出チェン（１）とガイド棒（２）とにより搬出される結束排藁（ａ）の穂先側のゲ−トになるように屈曲した支持体で、その一方側の下端は搬出チェン（１）を懸回させているチェンケ−スに連結固定し、他方の下部側は後方に向かわせて延出部（４ａ）を構成している。
【０００９】
また、（５）は断面コ字形にして前記延出部（４ａ）に溶着された金具で、摺動可能に挿通させた押圧杆（６）（６）を備え、その押圧杆（６）（６）の下端に前記ガイド棒（２）を連結してこのガイド棒（２）を搬出チェン（１）の搬送作用面側に対設すると共に、金具（５）内に介装した圧縮スプリング（７）（７）によりガイド棒（２）を搬出チェン（１）に弾圧させている。
そして、このガイド棒（２）の始端側は搬出チェン（１）の始端側に沿わせて下方に向けた後、上方向きに湾曲して、放出ア−ム（３）の先端が描く作動軌跡（ロ）とガイド棒（２）の始端部を側面視で重合状態に構成して結束機で結束された結束排藁（ａ）を搬出チェン（１）の始端部でガイド棒（２）との間に受入れ易くしている。
【００１０】
なお、前記支持体（４）の上端部は連結金（８）によって結束機（Ａ）側に連結され、搬出チェン（１）を回行させる動力は伝動ケ−ス（９）を介して結束機（Ａ）側から供給されている。また、結束機（Ａ）において、（１０）は結節部、（１１）はパッカ−、（１２）はドアを示してある。
【００１１】
したがって、結束機（Ａ）で所定の大きさに順次結束される結束排藁（ａ）は搬出チェン（１）とこれに対設するガイド棒（２）とで受継ぎ挟持して横倒れの状態から直立の状態へと姿勢変更させられ圃場面に立ち姿で放出されていくのであるが、そのとき、放出ア−ム（３）によって放出される結束排藁（ａ）は搬出チェン（１）とガイド棒（２）の始端部間に受入れられガイド棒（２）の湾曲部分で搬出チェン（１）がわに押え込まれながら搬出チェン（１）始端がわの直線部（１ａ）とによって結束排藁（ａ）の所定箇所を確実に挟持して後送し圃場面に立ち姿にするのである。
【００１２】
また、この立体放出装置には「図３」〜「図５」に示すように、結束排藁（ａ）の詰まりが発生すると警報を発して作業者にそのことを報知するようにしているが、その場合に結束排藁（ａ）の所定の大きさ、即ち、小束か大束かによって警報に誤作動が生じないようにしているのである。
【００１３】
そこで、この結束排藁（ａ）の詰まりを感知する詰まりセンサ−（Ｓ）は前記ガイド棒（２）を押圧する押圧杆（６）の移動限界においてＯＮして感知するようにし、結束排藁（ａ）を小束にするか大束にするかによってドア調節部（１３）のドア位置の変更、つまり、小束の場合は仮想線（ハ）の位置となり、大束の場合は仮想線（ニ）の位置に取り付けられるのであって、その各取り付け位置の傍らに小束スイッチ（Ｓ１）と大束スイッチ（Ｓ２）をそれぞれ設けて検出するようにし、これら詰まりセンサ−（Ｓ）と小束スイッチ（Ｓ１）と大束スイッチ（Ｓ２）を「図４」に示す電気回路に接続して詰まりセンサ−（Ｓ）のＯＮ作動が一定時間継続することによって警報を発するようにしている。
【００１４】
【発明の効果】
本発明は、以上述べたように、結束機（Ａ）で結束した結束排藁（ａ）を、搬出チェン（１）とこれに弾圧して対設するガイド棒（２）とで受継ぎ挟持して後方に搬出し圃場面に立ち姿で放出する立体放出装置において、前後方向に三角形状のチェンケースに懸架された搬送チェン（１）を、搬送作用面側を高く非作用面側を低くして傾斜状に設け、
前記搬出チェン（１）の搬送作用面側に結束排藁（ａ）を挟持するガイド棒（２）を設け、前記ガイド棒（２）始端側を前記搬出チェン（１）の始端側にそわせて下方に向けた、上方向きに湾曲形成し、前記ガイド棒（２）の始端部と前記放出アーム（３）の先端が描く作動軌跡（ロ）が側面視で重合する構成とし、また前記搬出チェン（１）の搬送作用面の始端側を放出アーム（３）の作動方向（イ）と側面視および平面視で同方向の直線部（１ａ）で構成したのであるから、放出ア−ム（３）によって放出される結束排藁（ａ）はこの直線部（１ａ）にそうように放出されるようになり結束排藁（ａ）の挟持位置がずれることがなく所定箇所を確実に挟持して後送し圃場面に放出するようになって結束排藁（ａ）の立体率が向上するのである。
【図面の簡単な説明】
【図１】立体放出装置を結束機に連結した状態の側面図である。
【図２】同状態の平面図である。
【図３】立体放出装置の一部分を示した図である。
【図４】電気回路図である。
【図５】ドア調節部を示した図である。
【符号の説明】
Ａ    結束機
ａ    結束排藁
１    搬出チェン
１ａ  直線部
２    ガイド棒
３    放出アーム
イ    作動方向
ロ    作動軌跡
【図１】
0003581387.tif 000002
【図２】
0003581387.tif 000003
【図３】
0003581387.tif 000004
【図４】
0003581387.tif 000005
【図５】
0003581387.tif 000006